(57)【要約】【課題】簡単な構成でコストを抑え、丸鋸刃の傾斜角度を容易に把握可能な卓上切断機を提供する。【解決手段】卓上切断機は、傾動軸を中心とする円弧上に歯列が形成され、傾動部と一体に回動するように設けられる弧状外歯車と、テーブル部２１に対して傾動部が回動した際に傾動部の回動角度を拡大して伝達する、弧状外歯車に噛合しテーブル部２１に設けられる第１歯車と、第１歯車に第１シャフトを介して連結される第２歯車と第２歯車に噛合する弧状内歯車と、弧状内歯車に接続され、傾動部の傾動角度を表示するスケール１６０と、インジケータから成る表示部１６３を備える。【選択図】図８
2010274387.tif 000002
【特許請求の範囲】
【請求項１】
被加工材を上部に載置可能なベース部と、
第１の軸周りに回動可能に前記ベース部上に設けられるテーブル部と、
第２の軸周りに回動可能に前記テーブル部に設けられる傾動部と、
回転刃および該回転刃を駆動する回転刃駆動装置を備える切断部を有し、該切断部を前記テーブル部の上方で上下動するよう第３の軸周りに回動可能に前記傾動部に設けられる揺動部と、
前記テーブル部に対して前記傾動部が回動した際に前記傾動部の回動角度を増速して伝達する回動角度増速部と、
該回動角度増速部に接続され、前記傾動部の回動角度を表示する傾動角度表示部と、
を備えることを特徴とする卓上切断機。
【請求項２】
前記傾動角度表示部は前記回動角度増速部に接続されて回動する目盛りを有し、
該目盛りが前記テーブル部に設けられた指示部に対して回動することで、前記傾動角度表示部が前記傾動部の回動角度を表示する、
ことを特徴とする請求項１に記載の卓上切断機。
【請求項３】
前記傾動部は前記テーブル部の端部に設けられ、
前記テーブル部は、前記第１の軸を挟んで前記傾動部に対向する端部近傍に前記傾動部から前記第１の軸に向かう方向に突出する首部を有し、
前記傾動角度表示部が前記首部に設けられる、
ことを特徴とする請求項１又は２に記載の卓上切断機。
【請求項４】
前記傾動部を前記テーブル部に対して固定する傾動固定部を有し、
前記テーブル部に対して前記傾動部を固定状態または回動可能状態となるように前記傾動固定部を操作する傾動固定操作部が前記首部に設けられる、
ことを特徴とする請求項３に記載の卓上切断機。
【請求項５】
前記テーブル部を前記ベース部に対して固定するテーブル固定部を有し、
前記ベース部に対して前記テーブル部を固定状態または回動可能状態となるように前記テーブル固定部を操作するテーブル固定操作部が前記首部に設けられる、
ことを特徴とする請求項３又は４に記載の卓上切断機。
【請求項６】
前記回動角度増速部は、
前記第２の軸を中心とする円弧状に歯列が形成され、前記傾動部と一体的に回動するように設けられる第１のギヤ部と、
前記第１のギヤ部の円弧の半径より小さい半径を有し、前記第１のギヤ部に噛合する第２のギヤ部と、
該第２のギヤ部に固定されて前記首部に向かって延びる軸と、
前記軸に固定され、前記首部内に収容される第３のギヤ部と、
前記首部内に回動可能に支持され、前記第３のギヤ部と噛合する第４のギヤ部と、
を備え、
前記傾動角度表示部は、前記第４のギヤ部に接続される、
ことを特徴とする請求項２乃至５のいずれか１項に記載の卓上切断機。
【請求項７】
被加工材を上部に載置可能なベース部と、
第１の軸周りに回動可能に前記ベース部上に設けられるテーブル部と、
第２の軸周りに回動可能に前記テーブル部の端部に設けられる傾動部と、
前記第１の軸を挟んで前記傾動部に対向する端部近傍に前記傾動部から前記第１の軸に向かう方向に突出する前記テーブル部に設けられる首部と、
回転刃および該回転刃を駆動する回転刃駆動装置を備える切断部を有し、該切断部を前記テーブル部の上方で上下動するよう第３の軸周りに回動可能に前記傾動部に設けられる揺動部と、
前記傾動部が前記テーブル部に対して回動した際に前記傾動部の回動角度を伝達する回動角度伝達部と、
該回動角度伝達部に接続され、前記傾動部の回動角度を表示する、前記首部に設けられる傾動角度表示部と、
前記傾動部を前記テーブル部に対して固定する傾動固定部と、
前記テーブル部に対して前記傾動部を固定状態または回動可能状態となるように前記傾動固定部を操作する、前記首部に設けられる傾動固定操作部と、
を備えることを特徴とする卓上切断機。
【請求項８】
前記回動角度伝達部は、前記テーブル部に対する前記傾動部の傾斜角度を増速して前記傾動角度表示部に伝達することを特徴とする請求項７に記載の卓上切断機。
【請求項９】
前記傾動角度表示部は前記回動角度伝達部に接続されて回動する目盛りを有し、
該目盛りが前記テーブル部に設けられた指示部に対して回動することで、前記傾動角度表示部が前記傾動部の回動角度を表示する、
ことを特徴とする請求項７又は８に記載の卓上切断機。
【発明の詳細な説明】
【技術分野】
【０００１】
本発明は、卓上丸鋸等の卓上切断機に関し、特に傾斜切断時の鋸刃の傾斜角度を表示する表示部を備えた卓上切断機に関する。
【背景技術】
【０００２】
ベース部に回動可能に取付けられたターンテーブルと、ターンテーブルに傾動可能に取付けられた丸鋸刃を有する切断部を備えた卓上切断機が知られている（特許文献１）。このような卓上切断機では、ベース部に対してターンテーブルを回動させることで被切断部材の角度切断が可能となり、ターンテーブルに対して切断部を傾斜させることで被切断部材の傾斜切断が可能となる。ターンテーブル後方のターンテーブルと切断部との取付け部分には、丸鋸刃の傾斜角度を読み取るための目盛が設置されている。なお、丸鋸刃の傾斜角度を光センサとスリットを用いて検出し、デジタル表示部に表示するものもある（特許文献２）。
【先行技術文献】
【特許文献】
【０００３】
【特許文献１】特開平１１−２５４４０１号公報
【特許文献２】特開２００６−２８９８００号公報
【発明の概要】
【発明が解決しようとする課題】
【０００４】
ところで、特許文献２に開示された技術では、丸鋸刃の傾動角度がデジタル表示されるので、ターンテーブル後方の目盛りで傾斜角度を読取る技術に比べて、角度を容易に把握できる。しかし、傾斜角度をデジタル表示するためには、光センサとスリットを用いたセンサ部とデジタル表示部の他にも、センサ部の出力から傾斜角度を演算しデジタル表示部に表示させるための演算装置等が必要となる。このため、全体の構成が複雑になり、コストが増加するという課題がある。
【０００５】
本発明は、上記課題に鑑みてなされたものであり、簡単な構成でコストを抑え、丸鋸刃の傾斜角度を容易に把握可能な卓上切断機を提供することを目的とする。
【課題を解決するための手段】
【０００６】
上記目的を達成するために、本発明の第１の観点に係る卓上切断機は、被加工材を上部に載置可能なベース部と、第１の軸周りに回動可能に前記ベース部上に設けられるテーブル部と、第２の軸周りに回動可能に前記テーブル部に設けられる傾動部と、回転刃および該回転刃を駆動する回転刃駆動装置を備える切断部を有し、該切断部を前記テーブル部の上方で上下動するよう第３の軸周りに回動可能に前記傾動部に設けられる揺動部と、前記テーブル部に対して前記傾動部が回動した際に前記傾動部の回動角度を増速して伝達する回動角度増速部と、該回動角度増速部に接続され、前記傾動部の回動角度を表示する傾動角度表示部と、を備えることを特徴とする。
【０００７】
また、前記傾動角度表示部は前記回動角度増速部に接続されて回動する目盛りを有し、
該目盛りが前記テーブル部に設けられた指示部に対して回動することで、前記傾動角度表示部が前記傾動部の回動角度を表示することが好ましい。
【０００８】
さらに、前記傾動部は前記テーブル部の端部に設けられ、前記テーブル部は、前記第１の軸を挟んで前記傾動部に対向する端部近傍に前記傾動部から前記第１の軸に向かう方向に突出する首部を有し、前記傾動角度表示部が前記首部に設けられてもよい。
【０００９】
また、前記傾動部を前記テーブル部に対して固定する傾動固定部を有し、前記テーブル部に対して前記傾動部を固定状態または回動可能状態となるように前記傾動固定部を操作する傾動固定操作部が前記首部に設けられてもよい。
【００１０】
さらに、前記テーブル部を前記ベース部に対して固定するテーブル固定部を有し、前記ベース部に対して前記テーブル部を固定状態または回動可能状態となるように前記テーブル固定部を操作するテーブル固定操作部が前記首部に設けられてもよい。
【００１１】
また、前記回動角度増速部は、前記第２の軸を中心とする円弧状に歯列が形成され、前記傾動部と一体的に回動するように設けられる第１のギヤ部と、前記第１のギヤ部の円弧の半径より小さい半径を有し、前記第１のギヤ部に噛合する第２のギヤ部と、該第２のギヤ部に固定されて前記首部に向かって延びる軸と、前記軸に固定され、前記首部内に収容される第３のギヤ部と、前記首部内に回動可能に支持され、前記第３のギヤ部と噛合する第４のギヤ部と、を備え、前記傾動角度表示部は、前記第４のギヤ部に接続されてもよい。
【００１２】
さらに、本発明の第２の観点に係る卓上切断機は、被加工材を上部に載置可能なベース部と、第１の軸周りに回動可能に前記ベース部上に設けられるテーブル部と、第２の軸周りに回動可能に前記テーブル部の端部に設けられる傾動部と、前記第１の軸を挟んで前記傾動部に対向する端部近傍に前記傾動部から前記第１の軸に向かう方向に突出する前記テーブル部に設けられる首部と、回転刃および該回転刃を駆動する回転刃駆動装置を備える切断部を有し、該切断部を前記テーブル部の上方で上下動するよう第３の軸周りに回動可能に前記傾動部に設けられる揺動部と、前記傾動部が前記テーブル部に対して回動した際に前記傾動部の回動角度を伝達する回動角度伝達部と、該回動角度伝達部に接続され、前記傾動部の回動角度を表示する、前記首部に設けられる傾動角度表示部と、前記傾動部を前記テーブル部に対して固定する傾動固定部と、前記テーブル部に対して前記傾動部を固定状態または回動可能状態となるように前記傾動固定部を操作する、前記首部に設けられる傾動固定操作部と、を備えることを特徴とする。
【００１３】
また、前記回動角度伝達部は、前記テーブル部に対する前記傾動部の傾斜角度を増速して前記傾動角度表示部に伝達することが好ましい。
【００１４】
さらに、前記傾動角度表示部は前記回動角度伝達部に接続されて回動する目盛りを有し、
該目盛りが前記テーブル部に設けられた指示部に対して回動することで、前記傾動角度表示部が前記傾動部の回動角度を表示することが好ましい。
【発明の効果】
【００１５】
本発明によれば、回動角度増速部が傾動部の回動角度を増速して回動角度表示部に伝達するので、簡単な構成でコストを抑え、丸鋸刃の傾斜角度を細かく容易に認識可能に表示することができる。
【図面の簡単な説明】
【００１６】
【図１】本発明の一実施形態を示す卓上丸鋸の左前方から見た斜視図である。
【図２】図１の卓上丸鋸を右後方から見た斜視図である。
【図３】図１の卓上丸鋸のターンテーブルおよび首部周辺の要部の左側面断面図である。
【図４】図１の卓上丸鋸の傾動支持部と傾動部との関係を示す要部断面図である。
【図５】図１の卓上丸鋸の傾動部周辺の要部を示す後面図である。
【図６】図５のＶＩ−ＶＩ線断面図である。
【図７】図１の卓上丸鋸のターンテーブルの下面図である。
【図８】図１の卓上丸鋸の首部周辺の要部を示す上面図である。
【図９】図１の卓上丸鋸の傾動時の前面図である。
【発明を実施するための形態】
【００１７】
以下、本発明の実施形態を添付図面に沿って説明する。図１及び図２に示すように、卓上丸鋸１は、床面に設置されて上面に木材等の被加工部材を担持するベース部１１と、ベース部１１に対して矢印Ａで示す方向に回動可能に取付けられたターンテーブル２１と、ターンテーブル２１の図１における後端に矢印Ｂで示す方向に傾動可能に取付けられカバー８７と共に傾動する傾動部と、傾動部に対して矢印Ｃで示す方向に揺動可能に取付けられたフレーム３１（揺動部）と、フレーム３１に取付けられて被加工部材を切断するための丸鋸刃１２３（回転刃）を備える切断部４１とを備える。ベース部１１は、ターンテーブル２１を挟んで左右に配置される右ベース１２と左ベース１３と、右ベース１２と左ベース１３との間を連結し円盤状のターンテーブル２１を支持する上面視略円形の連結部１４から構成される。被加工部材を載置するために平面状に形成される右ベース１２と左ベース１３の上面には、被加工部材を当接させて固定するための右フェンス１６、左フェンス１５がそれぞれ設けられる。ターンテーブル２１は、上面視において、傾動部が収納されたカバー８７に外周上で対向する位置に半径方向外側に突出する首部２２を有する。首部２２には、ターンテーブル２１の回動させる際に把持する固定ハンドル２３が設けられる。切断部４１には、丸鋸刃１２３を駆動するためのモータを内蔵するモータハウジング１２２と切断部をターンテーブル２１に向けて揺動させる際に把持するハンドル１２８が設けられる。また、丸鋸刃１２３は、切断部４１に固定される鋸刃カバー１２５と切断部４１の揺動に応じて回動可能に切断部４１に取付けられたセーフティカバー１２６に覆われる。なお、以下説明では、図１に示すように、ベース部１１が設置される床面を向く方向を卓上丸鋸１の下方、その逆方向を上方とし、右フェンス１６および左フェンス１５の被加工部材に当接する面が向く方向を卓上丸鋸１の前方、その逆方向を後方とし、右フェンス１６および左フェンス１５が延びる方向を左右方向（右フェンス１６側が右側、左フェンス１５側が左側とする）とする。
【００１８】
図３に示すように、ベース部１１の連結部１４には、右ベース１２と左ベース１３の間の略中央に、上部が解放され、下部に貫通孔１７が形成された中空円筒状の回動支持部１８が設けられる。また、ターンテーブル２１の下面の回動支持部１８に対応する位置には、中心に貫通孔２４が形成され、回動支持部１８の内径より僅かに小さい外径を有する円筒状の下方に突出する回動軸部２５が設けられる。ターンテーブル２１の回動軸部２５をベース部１１の回動支持部１８に挿入し、回動軸部２５の貫通孔２４と回動支持部１８の貫通孔１７とを挿通するボルト３２にナット３３を螺合することで、ターンテーブル２１はベース部１１に回動軸５０（第１の軸）を中心に回動可能に支持される。なお、ベース部１１に支持されたターンテーブル２１の上面は、右ベース１２および左ベース１３の上面と略同一平面上に位置する。
【００１９】
図１に示すように、右ベース１２と左ベース１３との間の連結部１４には、上面視において、ターンテーブル２１の回動軸５０を中心とする円弧状に前方に突出する円弧部１９が設けられる。円弧部１９の側面下部には、後述するロックレバー２６の凸部２８と係合する複数の係止溝６０が形成される。複数の係止溝６０は、回動軸５０から前方に左右のフェンス１５、１６と直交して延びる軸（基準軸（０°））に対して左右対称に、例えば１５°、３０°、４５°等の所定角度を成す位置に形成される。
【００２０】
図３に示すように、ターンテーブル２１下面の回動軸部２５の前方には、ロックレバー２６がボルト２７により固定される。ロックレバー２６は、板金等の弾性を有する部材で構成され、首部２２を越えて前方に延び、首部２２の前端面に沿って上方に向かって折り曲げられ、折り曲げられた先端部分に押下部２９が形成される。また、ロックレバー２６の円弧部１９の側面下部と対峙する位置には、上方に突出する凸部２８が設けられる。ロックレバー２６の常態では、凸部２８は上方、つまり円弧部１９の側面下部に向けて付勢される。ターンテーブル２１が回動して、円弧部１９の係止溝６０に凸部２８が位置する場合には、凸部２８が係止溝６０に係合し、ターンテーブル２１は所定の角度で固定される。押下部２９を操作して凸部２８と係止溝６０との係合を解除することでターンテーブル２１はベース部１１に対して回動軸５０を中心に回動することができる。また、首部２２に設けられる固定ハンドル２３は、回動軸５０に向かって延びる軸９１を有し、軸９１の回動軸５０側の外周に雄ネジ部６１が形成される。固定ハンドル２３は、雄ネジ部６１を首部２２に設けられた雌ネジ部６２に螺合させて支持され、雌ネジ部６２を貫通して突出する雄ネジ部６１の先端部６３は、ベース部１１の円弧部１９の側面に対向する。固定ハンドル２３を締め込むと、先端部６３が円弧部１９の側面に当接するので、ターンテーブル２１は回動不能となる。
【００２１】
ターンテーブル２１の回動軸５０を挟んで首部２２に対向する端部には、傾動部７４を支持するための傾動支持部７０が設けられる。図４に示すように、傾動支持部７０には、凹部７１と支持孔７２とが形成される。支持孔７２の中心を通る延長線は、ターンテーブル２１の上面と略同一平面上にあるとともに、略回動軸５０を通る。また、傾動部７４には回動壁７８が形成されるとともに、回動壁７８の略中心に回動孔７５が形成される。傾動部７４の回動壁７８を傾動支持部７０の凹部７１の縁部に当接させ、回動孔７５と支持孔７２にピン状ボルト７６を挿入して図示しないナットで締結する。これにより、支持孔７２の中心と同軸のピン状ボルト７６の中心である傾動軸５１（第２の軸）を中心に、傾動部７４は回動可能に傾動支持部７０に支持される。傾動部７４の回動時には、回動壁７８が凹部７１の縁部に対して摺動する。なお、以下の説明では、傾動軸５１（第２の軸）回りの回動を傾動とする。
【００２２】
図５に示すように、傾動部７４の回動孔７５の右側（図５中の左側）には、傾動軸５１を中心とする円弧状の長孔縁８０で画成される長孔７９が、回動壁７８を貫通して形成される。また、図６に示すように、長孔縁８０は傾動部７４の後面より後方に突出し、長孔縁８０の対向する内壁は、後端から回動壁７８に向かうに従って幅が狭くなっている。傾動部７４が傾動支持部７０に組付けられた状態において、傾動支持部７０には、傾動部７４の長孔７９と対峙する位置にクランプ孔７３が穿設される。
【００２３】
図６に示すように、クランプ孔７３と長孔７９には、クランプシャフト８１が挿入される。クランプシャフト８１は、長手方向に中心を貫通する孔８８を有するとともに、後端に長孔縁８０の対向する円弧状の縁の幅より広い幅広部８９を有する。クランプシャフト８１はクランプ孔７３に遊嵌され、長孔７９の内壁には接触せず、長孔縁８０に幅広部８９が当接する。孔８８にはワイヤ８２が挿入され、ワイヤ８２は図７に示すように、首部２２に設けられたレバー８３に連結される。
【００２４】
レバー８３が回転すると、ワイヤ８２は前方（図６の左方向）に引っ張られてクランプシャフト８１が傾動支持部７０側に移動し、幅広部８９が長孔縁８０に当接する。したがって、傾動部７４の回動壁７８と傾動支持部７０との間の摩擦力が増大し、傾動支持部７０に対して傾動部７４が傾動しないように固定される。なお、レバー８３が解放された状態（ワイヤ８２が引かれていない状態）では、長孔７９内でクランプシャフト８１が移動可能な範囲で、傾動部７４は傾動支持部７０に対して傾動可能となり、本実施形態の場合には、左側に約０°〜４５°の範囲内で傾動可能となる。
【００２５】
図５に示すように、傾動部７４の回動孔７５の左側（図５中の右側）には、傾動軸５１を中心とする円弧状の長孔１５１が、回動壁７８を貫通して形成される。また、回動壁７８の後面には、後面視において、円弧状の長孔１５１と同軸で、長孔１５１の内側の円弧に沿って内側の円弧から長孔１５１内に僅かに歯列が突出するように形成された弧状外歯車７７（第１のギヤ部）がネジ１５２で固定される。なお、図２に示すように、弧状外歯車７７、長孔縁８０、ピン状ボルト７６は、カバー８７に覆われ、外部には露出しない。
【００２６】
図３、図７に示すように、ターンテーブル２１には、傾動支持部７０の凹部に形成されたシャフト支持孔１５６および複数のシャフト支持部１５７に回転可能に支持される第１シャフト１５３が設けられる。第１シャフト１５３の後端は傾動部７４の回動壁７８を超えて延び、後端には第１歯車１５４が固定される。第１歯車１５４は弧状外歯車７７と噛合する。第１歯車１５４と弧状外歯車７７の歯数の比は、傾動部７４の傾動角度に対して第１歯車の回転角度が拡大（増速）されるように、例えば１：１０に設定される。
【００２７】
また、図３、図７に示すように第１シャフト１５３の前端は首部２２内まで延び、前端には第２歯車１５５が固定される。第２歯車１５５は首部２２に回転可能に支持される弧状外歯車１５９と噛合する。第２歯車１５５と弧状外歯車１５９の歯数の比は、第２歯車１５５の回転角度が縮小されるものの、傾動部７４の傾動角度に対する弧状外歯車１５９の回転角度は拡大されるように、例えば１０：４に設定される。これにより、傾動部７４が例えば１°傾動すると、弧状外歯車１５９は４°回転することになる。なお、第１歯車１５４、第１シャフト１５３、第２歯車１５５、弧状外歯車１５９は回動角度増速部を構成する。
【００２８】
弧状外歯車１５９の上面には傾動角度を示すスケール１６０が固定され、ターンテーブル２１の首部２２に固定されたインジケータ取付部１６１にはスケール１６０に延びるインジケータ１６２が設けられる。弧状外歯車１５９が回転するとスケール１６０も回転し、図８に示すように、スケール１６０およびインジケータ１６２は首部２２に設けられた表示部１６３で視認可能となる。スケール１６０、インジケータ１６２、表示部１６３は傾動角度表示部を構成する。なお、スケール１６０は目盛り、インジケータ１６２は指示部に相当する。このように構成することにより、簡単な構成で容易に傾斜角度を読み取ることができる。
【００２９】
図３−図５に示すように、傾動部７４の上方には、一対の揺動支持腕８４が設けられる。一対の揺動支持腕８４には、フレーム３１が、傾動軸５１に直交する揺動支持ピン８５を介して揺動支持ピン８５の中心を通る揺動軸５２（第３の軸）を中心に揺動可能に取付けられる。図１に示すように、フレーム３１には丸鋸刃１２３を有する切断部４１が設けられる。フレーム３１と揺動支持腕８４との間には、図示せぬバネが仕込まれており、フレーム３１は上方へ付勢される。したがって、非切断時には切断部４１は最上位置にある。そして、切断時にはバネの付勢力に抗してハンドル１２８を押し下げる。
【００３０】
なお、図４に示すように、ターンテーブル２１の首部２２と傾動支持部７０の間には、切断部４１を押し下げた際に丸鋸刃１２３がターンテーブル２１に接触しないようにする）ために、円弧状に凹んだ円弧状凹部１２４（図示なし）が形成される。また、図１に示すように、円弧状凹部１２４の上面は、略中央には切断溝１２６（図示なし）が形成された切断溝プレート１２５（図示なし）で覆われる。円弧状凹部１２４と切断溝プレート１２５はそれぞれ、傾動部７４が傾動した際にも丸鋸刃１２３が接触することの無い十分な幅を有し、切断部４１が押し下げられた際に丸鋸刃１２３は切断溝１２６を通過して円弧状凹部１２４内に入り、ターンテーブル２１に接触することはない。また、ワイヤ８２および第１シャフト１５３は、上面視において、ターンテーブル２１の円弧状凹部１２４の左右の端部に偏って配置（ワイヤ８２が左端寄り、第１シャフト１５３が右端寄り）されているので、円弧状凹部１２４内に入り込んだ丸鋸刃１２３と接触することも無い。すなわち、傾動部７４が第２の軸周りの両方向に傾動可能な構成になっている。
【００３１】
以下、卓上丸鋸１で被加工部材を切断する際の動作説明を行う。卓上丸鋸１で被加工部材を切断する際には、被加工部材を左右のフェンス１５、１６の当接面に当接させ左右のベース１２、１３の上面に担持する。そして、ハンドル１２８を用いて切断部４１を引き下げて丸鋸刃１２３により被加工部材を切断する。被加工部材に対しては、この他に、フェンス１２の当接面に対して丸鋸刃１２３を斜めにして切断する角度切りや、ベース部１１上面に対して丸鋸刃１２３を斜めにして切断する傾斜切りが行われる。
【００３２】
被加工部材の角度切りを行う場合には、ターンテーブル２１を回動させる。この場合、切断部４１はターンテーブル２１と一緒に回動する一方、被加工部材は左右のフェンス１５、１６および左右のベース１２、１３に固定されているため動かない。したがって、上面視において、切断部４１の丸鋸刃１２３は被加工部材に対して角度を成し、角度切りを行うことができる。角度切りを行う際の被加工部材の切断角度は、係止溝６０と凸部２８との係合により予め設定された角度にする場合と、任意の角度にする場合が選択できる。
【００３３】
切断角度を予め設定された角度とする場合には、ロックレバー２６が押し下げられていない状態からロックレバー２６を押し下げて係止溝６０と凸部２８の係合を解除した状態でターンテーブル２１を回動させる。そして所望の角度になった後にロックレバー２６を離して係止溝６０に凸部２８が係合した位置で、固定ハンドル２３を回らなくなるまで締め込み、固定ハンドル２３の先端部６３をベース部１１の円弧部１９の側面に押圧してターンテーブル２１をベース部１１に対して固定する。この場合には、係止溝６０と凸部２８との係合により、ベース部１１に対するターンテーブル２１の回動角度が正確に定められるため、特に回動角度の微調整を行う必要はない。
【００３４】
また、切断角度を任意の角度にする場合には、ロックレバー２６の押下部２９を押し下げ、ターンテーブル２１を任意の角度付近まで回動させた後に固定ハンドル２３を回らなくなるまで締め込み、固定ハンドル２３の先端部６３をベース部１１の円弧部１９の側面に押圧してターンテーブル２１をベース部１１に対して固定する。
【００３５】
いずれの方法で切断角度を設定する場合でも、首部２２の前方に突出し、隣接して設けられるロックレバー２６と固定ハンドル２３の操作でターンテーブル２１の回動角度を固定できるので、容易に切断角度を固定することができ、操作性が向上する。
【００３６】
被加工部材の傾斜切りを行う場合には、図９に示すように、切断部４１を矢印Ｂの方向に傾動させる。この場合、前面視において、切断部４１の丸鋸刃１２３は被加工部材に対して斜めに角度を成すので、傾斜切りを行うことができる。なお、この場合には、図９に示すように、左フェンス１５に回転軸１５０を中心に回動可能に設けられた回動フェンス１５１を反時計回りに回動させて、丸鋸刃１２３が左フェンス１５に当接しないようにする。
【００３７】
傾動角度の設定を行う場合には、首部２２に設けられたレバー８３を緩め、回動壁７８と傾動支持部７０との当接状態を開放し、傾動部７４を傾動支持部７０に対して傾動可能とした状態で、切断部４１を傾動させる。切断部４１を傾動させると、傾動部７４に固定された弧状外歯車７７が第１歯車１５４を回転させる。この回転は、上述のように、第１シャフト１５３を介して第１歯車１５４より大径の第２歯車１５５に伝わり、第２歯車１５５は弧状外歯車１５９を回転させる。この時、各歯車の歯数の比に応じて、例えば本実施形態の場合は、傾動部７４の１°の傾動が、第１歯車１５４及び第２歯車１５５は１０°の回転となり、弧状外歯車１５９では４°の回転角度に拡大される。そして、弧状内歯車１５９に設けられたスケール１６０が回転することにより表示部１６３には切断部４１の回転角度が拡大されて表示される。作業者は傾動角度を容易に確認しながら、切断部４１を所望の傾動角度に高精度に傾動させることができる。所望の傾動角度に達したら、レバー８３を締めて回動壁７８と傾動支持部７０とを当接させ、傾動部７４を傾動支持部７０に対して固定し、傾斜切りを行う。なお、傾斜切りと角度切りを組み合わせて切断することも可能である。
【００３８】
このように構成された卓上丸鋸１によれば、傾斜切りを行う場合には、切断部４１の傾動角度が弧状外歯車７７、第１歯車１５４、第２歯車１５５、および弧状外歯車１５９を介して増速されてスケール１６０を回転させる。したがって、簡単な構成で製造コストを抑え、切断部４１の傾動角度の確認が容易になるうえ、傾動角度を高精度に設定することが可能となる。また、スケール１６０を確認する表示部１６３は首部２２の上面に設けられるので、作業者は傾動角度の確認を容易に行うことができ、操作性が向上する。さらに、切断部４１（傾動部７４）の傾動のロックおよびロック解除を行うレバー８３が首部２２に設けられ、傾動角度を確認するための表示部１６３の近傍に位置する。したがって、傾動角度を調整しながら切断部４１の傾動角度のロックする操作を容易に行うことができ、操作性がより向上する。また、首部２２には、ターンテーブル２１の回動角度を調整するための固定ハンドル２３、ロックレバー２６の押下部２９、およびレバー８３が設けられている。首部２２に回動角度や傾動角度を固定するための操作部および傾動角度の確認を行う表示部１６３が集中して設けられているので、傾斜角度を確認しながらの傾動ロック操作や回動および回動のロック操作を視線の大きな移動を伴わずに行うことが可能となり、操作性をさらに向上させることができる。
【００３９】
なお、上述の卓上丸鋸１は左側にのみ傾動可能な構造であったが、本発明はこのような卓上丸鋸１に限られるものでは無く、例えば、左右両方に傾動可能な卓上丸鋸や、前後方向に丸鋸刃をスライド可能で左右あるいは左側または右側に傾動可能な卓上スライド丸鋸に適用することもできる。
【符号の説明】
【００４０】
１  卓上丸鋸
１１  ベース部
１４  連結部
２１  ターンテーブル
２２  首部
２３  固定ハンドル
２６  ロックレバー
３１  フレーム
４１  切断部
５０  回動軸
５１  傾動軸
５２  揺動軸
７７  弧状外歯車
８３  レバー
１５３  第一シャフト
１５４  第一歯車
１５５  第二歯車
１５９  弧状外歯車
１６０  スケール
１６２  インジケータ
１６３  表示部
【図１】
2010274387.tif 000003
【図２】
2010274387.tif 000004
【図３】
2010274387.tif 000005
【図４】
2010274387.tif 000006
【図５】
2010274387.tif 000007
【図６】
2010274387.tif 000008
【図７】
2010274387.tif 000009
【図８】
2010274387.tif 000010
【図９】
2010274387.tif 000011